(57)【要約】    【課題】  光源から原稿に光を照射して画像読取りを行う画像読取装置において、原稿載置台への外光の入射を簡易且つ低コストで検出できる手段を提供する。    【解決手段】  複合機１の制御部５５は、ＣＩＳユニット４０が基準部材５３を読み取った際の読取値に基づいて、原稿載置台４への外光入射の有無を判断する。原稿押さえカバー６が原稿載置台４に対して開かれている場合には、原稿載置台４の内部に外光が進入し、基準部材５３に外光が影響する。したがって、原稿押さえカバー６が原稿載置台４に対して開かれている場合と閉じている場合とで、ＣＩＳユニット４０が基準部材５３を読み取った際の読取値が異なる。制御部５５は、このＣＩＳユニット４０の読取値から原稿載置台４に外光が入射しているか否かを判断する。【選択図】  図８
2006311219.tif 000002
【特許請求の範囲】
【請求項１】
原稿を載置するための透過部材を有する原稿載置台と、
上記透過部材を覆うようにして原稿載置台に開閉自在に設けられた原稿押さえ部材と、
光源から原稿に光を照射し、その反射光に基づいて該原稿に記録された画像を読み取る画像読取手段と、
上記透過部材の原稿載置面と反対側に配設され、上記画像読取手段を搭載して透過部材に沿って所定方向へ往復移動する走査手段と、
上記画像読取手段の画像読取り及び上記走査手段の往復移動を制御する制御手段と、
上記透過部材が上記原稿載置台の外面として露出された領域に配設され、上記画像読取手段の明度基準となる基準部材と、
上記画像読取手段が上記基準部材を読み取った際の読取値に基づいて、上記原稿載置台への外光入射の有無を判断する外光検出手段と、を具備するものである画像読取装置。
【請求項２】
上記基準部材は、上記走査手段の移動方向に白色部分と黒色部分とが設けられたものであり、
上記外光検出手段は、上記画像読取手段が光源を消灯して上記基準部材の白色部分と黒色部分とをそれぞれ読み取った際の読取値の差が所定の閾値以上である場合に、外光入射有りと判断するものである請求項１に記載の画像読取装置。
【請求項３】
上記外光検出手段は、上記画像読取手段が光源を点灯して上記基準部材を読み取った際の読取値が所定範囲外である場合に、外光入射有りと判断するものである請求項１に記載の画像読取装置。
【請求項４】
上記外光検出手段は、上記画像読取手段が光源を消灯して上記基準部材を読み取った際の読取値が所定範囲外である場合に、外光入射有りと判断するものである請求項１に記載の画像読取装置。
【請求項５】
上記制御部は、原稿押さえ部材を閉じて上記基準部材を読み取った場合に、上記画像読取手段の出力が所定の出力範囲の最大付近となるように出力調整するものであり、
上記外光検出手段は、出力調整された上記画像読取手段が光源を点灯して上記基準部材を読み取って、上記出力範囲の最大値以上を示す読取値を出力した画素数をカウントし、そのカウント数が所定の閾値以上である場合に、外光入射有りと判断するものである請求項１に記載の画像読取装置。
【請求項６】
上記基準部材は、上記透過部材と、該透過部材が上記原稿載置台の外面として露出された領域に配設されて該領域を区画する区画部材との間に介設されたものである請求項１から５のいずれかに記載の画像読取装置。
【請求項７】
上記区画部材は、上記透過部材が上記原稿載置台の外面として露出された領域を、上記画像読取手段が、所定方向に搬送される原稿の画像を読み取るための搬送原稿読取領域と、上記画像読取手段が、透過部材に載置された原稿の画像を読み取るための静止原稿読取領域とに区画するものである請求項６に記載の画像読取装置。
【請求項８】
上記押さえ部材に、給紙トレイに装填された原稿を上記搬送原稿読取領域へ搬送して排紙トレイへ排出する自動原稿搬送機構が設けられ、
上記区画部材は、上記押さえ部材側の面に、読取前の原稿を搬送原稿読取領域へ案内するガイド面が形成されたものである請求項７に記載の画像読取装置。
【請求項９】
上記押さえ部材に、給紙トレイに装填された原稿を上記搬送原稿読取領域へ搬送して排紙トレイへ排出する自動原稿搬送機構が設けられ、
上記区画部材は、上記押さえ部材側の面に、読取後の原稿を搬送原稿読取領域から排紙トレイへ案内するガイド面が形成されたものである請求項７に記載の画像読取装置。
【請求項１０】
上記画像読取手段は、密着型イメージセンサである請求項１から９のいずれかに記載の画像読取装置。
【発明の詳細な説明】
【技術分野】
【０００１】
本発明は、原稿載置台の透過部材を通じて、原稿に光を照射して画像読取りを行う画像読取装置に関するものであり、特に、原稿載置台への外光の入射を検出可能な画像読取装置に関するものである。
【背景技術】
【０００２】
従来より、複写機やスキャナ、これら機能を併有する多機能装置に搭載される画像読取装置として、フラットベッドスキャナや、給紙トレイから搬送路を経て排紙トレイへ原稿を搬送するＡＤＦ（Auto Document Feeder）と呼ばれる自動原稿搬送機構に、ＣＣＤ（Charge Coupled Device）やＣＩＳ（Contact Image Sensor）等の画像読取手段を所定位置に配設して、搬送中の原稿の画像を読み取るものが知られている。
【０００３】
例えば、図１６に示すような従来の画像読取装置９０では、原稿押さえカバー９１にＡＤＦ９２が備えられており、該ＡＤＦ９２により、給紙トレイの原稿がプラテンガラス９３のＡＤＦ読取領域９３Ａへ搬送され、原稿載置台９４内に配設されたイメージスキャナ（不図示）により、ＡＤＦ読取領域９３Ａ上を通過する原稿の画像を読み取ることができる。また、画像読取装置９０は、フラットベッドスキャナとして用いることもでき、プラテンガラス９３の静止原稿読取領域９３Ｂに載置した原稿を、原稿押さえカバー９１を閉じて押圧して固定し、原稿載置台９４内に配設されたイメージスキャナにより、該原稿の画像を読み取ることができる。
【０００４】
上記イメージセンサとして用いられるＣＣＤやＣＩＳは、プラテンガラス９３へ向かって光源から光を出射し、該光がプラテンガラス９３を通過して原稿の表面で反射され、該反射光を受光素子で電気信号に変換することにより、原稿の画像を光学的に読み取るものである。このようなイメージセンサの光源や受光素子には、光量のばらつきや配光ムラ、感度ムラがあるので、白色の基準部材に対して光源の光量調整を行った後に、該基準部材を読み取って白レベルデータ及び黒レベルデータを取得し、これら白レベルデータ及び黒レベルデータに基づいて読取データを補正する所謂シェーディング補正が行われる。例えば、上記画像読取装置９０では、プラテンガラス９３をＡＤＦ読取領域９３Ａと静止原稿読取領域９３Ｂとに区画する区画部材９５の裏面側に基準部材が配設されており、原稿の画像読取りに先立って、該基準部材に対して光量調整及び基準データの取得が行われる。
【０００５】
ところで、近年、イメージセンサの感度が向上するに伴い照度の低い光源を用いることが可能となっており、例えばＣＩＳではＬＥＤ（Light Emitting Diode）光源や、ＬＥＤと線状導光体を用いたＬＩＤＥ光源が採用されている。このような光源の低照度化により、基準部材への外光の影響が大きくなるという問題がある。外光とは、上記画像読取装置９０において、プラテンガラス９３の静止原稿読取領域９３Ｂに原稿を載置し、図に示すように原稿押さえカバー９１を開いた状態でイメージスキャナにより画像読取りを行う場合に、ＡＤＦ読取領域９３Ａ等から原稿載置台９４内に進入する屋内や屋外の光である。
【０００６】
このような外光は、原稿押さえカバー９１を閉じればプラテンガラス９３全域が覆われるので、原稿載置台９４内に進入することはないが、例えば、厚みのあるブック原稿の画像読取りを行う場合には、原稿押さえカバー９１を完全に閉じることができず、外光が原稿載置台９４内へ進入することがある。また、サイズの大きい原稿を読み取るような場合には、読取位置を確認するために敢えて原稿押さえカバー９１を閉じずに画像読取りを行う場合があり、そのような場合にも外光が原稿載置台９４内に進入することがある。
【０００７】
仮に、外光に対して光源の照度が十分に大きい場合には、基準部材からの反射光も十分に大きくなるので、該反射光に若干の外光が加わっても、その影響は読取画像の顕著な劣化として現れない。しかし、光源の照度が小さくなれば反射光も小さくなるので、該反射光に加わる外光の比率が大きくなる。例えば、光量調整において外光が影響すれば、イメージセンサの光源は、外光の分だけ小さな光量に調整される。したがって、該光源から原稿に照射される光量も小さくなり、読取画像が黒っぽくなるという問題が生じる。特に、静止原稿読取領域９３Ｂに載置された原稿に対してイメージセンサが走査される場合に、ＡＤＦ読取領域９３Ａから離れるほど外光の影響が小さくなるので、画像の劣化が顕著である。このような問題に対して、例えば、イメージセンサの両側に遮光板を設けて、イメージセンサの受光素子に外光が進入することを防止する手段が提案されている（特許文献１参照）。また、
【０００８】
【特許文献１】特開２００３−１３４３０７号公報
【発明の開示】
【発明が解決しようとする課題】
【０００９】
イメージセンサに遮蔽板を設けることにより、例えばイメージセンサの側方から進入する外光を遮断することができるとしても、プラテンガラス９３の厚み内に進入する外光を遮断することはできない。特に、装置の小型化の要請から、上記区画部材９５に十分な幅を設定することができない場合や、プラテンガラス９３を１枚のガラス板で構成した場合等では、基準部材に対するイメージセンサの出力調整の際に外光が影響するという問題がある。
【００１０】
したがって、イメージセンサの出力調整や画像読取りの際に、原稿載置台９４内に外光の入射があるか否かを判断する必要があるが、例えば、外光を検出するためのセンサを設けたり、原稿押さえカバー９１の開閉を検出するためのセンサを設けたりすれば、そのセンサを設置するためのスペースを確保するために装置の小型化に反することとなり、また、部品点数や組立工数の増加によるコストアップが生ずる。
【００１１】
本発明は、かかる問題に鑑みてなされたものであり、光源から原稿に光を照射して画像読取りを行う画像読取装置において、原稿載置台への外光の入射を簡易且つ低コストで検出できる手段を提供することを目的とする。
【課題を解決するための手段】
【００１２】
本発明は、原稿を載置するための透過部材を有する原稿載置台と、上記透過部材を覆うようにして原稿載置台に開閉自在に設けられた原稿押さえ部材と、光源から原稿に光を照射し、その反射光に基づいて該原稿に記録された画像を読み取る画像読取手段と、上記透過部材の原稿載置面と反対側に配設され、上記画像読取手段を搭載して透過部材に沿って所定方向へ往復移動する走査手段と、上記画像読取手段の画像読取り及び上記走査手段の往復移動を制御する制御手段と、上記透過部材が上記原稿載置台の外面として露出された領域に配設され、上記画像読取手段の明度基準となる基準部材と、上記画像読取手段が上記基準部材を読み取った際の読取値に基づいて、上記原稿載置台への外光入射の有無を判断する外光検出手段と、を具備するものである。
【００１３】
原稿載置台に対して原稿押さえ部材が閉じられることにより、透過部材に載置された原稿が該透過部材に押圧されるとともに該透過部材が覆われる。これにより、原稿載置台の内部に外光が進入することが防止される。そして、制御手段が、走査手段及び画像読取手段を動作させることにより、上記原稿の画像読取りが行われる。この画像読取りに先だって、制御手段は、画像読取手段により光源から上記基準部材に光を照射して反射光を読み取る。このような基準部材の読取りは、例えば、画像読取手段の光源の光量調整や明度基準の取得を兼ねていてもよい。原稿押さえ部材が原稿載置台に対して開かれている場合には、原稿載置台の内部に外光が進入し、上記基準部材に外光が影響する。この外光の有無により、画像読取手段が基準部材を読み取った際の読取値が異なる。外光検出手段は、この画像読取手段の読取値から原稿載置台に外光が入射しているか否かを判断する。
【００１４】
また、本発明は、上記画像読取装置において、上記基準部材は、上記走査手段の移動方向に白色部分と黒色部分とが設けられたものであり、上記外光検出手段は、上記画像読取手段が光源を消灯して上記基準部材の白色部分と黒色部分とをそれぞれ読み取った際の読取値の差が所定の閾値以上である場合に、外光入射有りと判断するものである。
【００１５】
原稿押さえ部材が原稿載置台に対して開かれている場合には、原稿載置台の内部に外光が進入し、上記基準部材に外光が影響する。画像読取手段は、この基準部材に対して光源を消灯して基準部材の白色部分と黒色部分とをそれぞれ読み取る。原稿押さえ部材が閉じられて外光の入射がない場合には、これら読取値は同等であるが、原稿押さえ部材が開かれて外光が入射している場合には、入射した外光の反射率の違いにより、これら読取値に差が生じる。したがって、得られた各読取値の差が所定の閾値以上であれば、原稿載置台に外光が入射していると判断できる。
【００１６】
また、本発明は、上記画像読取装置において、上記外光検出手段は、上記画像読取手段が光源を点灯して上記基準部材を読み取った際の読取値が所定範囲外である場合に、外光入射有りと判断するものである。
【００１７】
原稿押さえ部材が原稿載置台に対して開かれている場合には、原稿載置台の内部に外光が進入し、上記基準部材に外光が影響する。この基準部材に対して光を照射して画像読取手段で読み取ると、外光が入射している分だけ読取値に差が生じる。したがって、得られた読取値が所定範囲外であれば、原稿載置台に外光が入射していると判断できる。また、所定範囲は、例えば、原稿が押さえ部材が閉じられている際に画像読取手段が光源を点灯して基準部材を読み取った読取値に所定の係数を乗じて定めることができる。
【００１８】
また、本発明は、上記画像読取装置において、上記外光検出手段は、上記画像読取手段が光源を消灯して上記基準部材を読み取った際の読取値が所定範囲外である場合に、外光入射有りと判断するものである。
【００１９】
原稿押さえ部材が原稿載置台に対して開かれている場合には、原稿載置台の内部に外光が進入し、上記基準部材に外光が影響する。この基準部材に対して光源を消灯して画像読取手段で読み取ると、外光が入射している分だけ読取値に差が生じる。したがって、得られた読取値が所定範囲外であれば、原稿載置台に外光が入射していると判断できる。また、所定範囲は、例えば、原稿押さえ部材が閉じられている際に画像読取手段が光源を消灯して基準部材を読み取った読取値や、画像読取手段として用いるデバイスが出力する黒レベル基準信号に、所定の係数を乗じて定めることができる。
【００２０】
また、本発明は、上記画像読取装置において、上記制御部は、原稿押さえ部材を閉じて上記基準部材を読み取った場合に、上記画像読取手段の出力が所定の出力範囲の最大付近となるように出力調整するものであり、上記外光検出手段は、出力調整された上記画像読取手段が光源を点灯して上記基準部材を読み取って、上記出力範囲の最大値以上を示す読取値を出力した画素数をカウントし、そのカウント数が所定の閾値以上である場合に、外光入射有りと判断するものである。
【００２１】
制御部は、画像読取手段の出力が所定の出力範囲の最大付近となるように出力調整する。このような出力調整は、例えば、光源の光量調整や受光素子の出力のゲイン調整により行われる。また、この出力調整は、原稿押さえ部材を閉じて基準部材を読み取った場合の出力に対して行われる。そして、出力調整された画像読取手段の光源を点灯して上記基準部材を読み取らせる。この際、原稿載置台に外光が入射していれば、外光の分だけ画像読取手段の読取値は大きくなるので、上記出力範囲の最大値以上となる画素が生じる。この画素数をカウントして、カウント数が所定の閾値以上であれば、原稿載置台に外光入射有りと判断することができる。
【００２２】
また、本発明は、上記画像読取装置において、上記基準部材は、上記透過部材と、該透過部材が上記原稿載置台の外面として露出された領域に配設されて該領域を区画する区画部材との間に介設されたものであり、好ましくは、上記透過部材が上記原稿載置台の外面として露出された領域を、上記画像読取手段が、所定方向に搬送される原稿の画像を読み取るための搬送原稿読取領域と、上記画像読取手段が、透過部材に載置された原稿の画像を読み取るための静止原稿読取領域とに区画するものである。
【００２３】
これにより、上記透過部材が上記原稿載置台の外面として露出された領域以外に基準部材を配設するスペースを確保する必要がなく、原稿載置台を小型化することができる。
【００２４】
また、本発明は、上記画像読取装置において、上記押さえ部材に、給紙トレイに装填された原稿を上記搬送原稿読取領域へ搬送して排紙トレイへ排出する自動原稿搬送機構が設けられ、上記区画部材は、上記押さえ部材側の面に、読取前の原稿を搬送原稿読取領域へ案内するガイド面が形成されたものである。
【００２５】
上記区画部材にガイド面を設けることにより、搬送原稿読取領域への原稿の搬送を円滑ならしめるとともに、部材の共通化により装置の小型化及びコストダウンを図ることができる。また、このガイド面は、読取前の原稿を搬送原稿読取領域へ案内するものなので、ガイド面の最下部を上記透過部材の原稿載置面より凹ませる必要がない。したがって、透過部材を搬送原稿読取領域と静止原稿読取領域とに渡る１枚の部材で構成することができる。
【００２６】
また、本発明は、上記画像読取装置において、上記押さえ部材に、給紙トレイに装填された原稿を上記搬送原稿読取領域へ搬送して排紙トレイへ排出する自動原稿搬送機構が設けられ、上記区画部材は、上記押さえ部材側の面に、読取後の原稿を搬送原稿読取領域から排紙トレイへ案内するガイド面が形成されたものである。
【００２７】
上記区画部材にガイド面を設けることにより、搬送原稿読取領域から排紙トレイへの原稿の搬送を円滑ならしめるとともに、部材の共通化により装置の小型化及びコストダウンを図ることができる。
【００２８】
また、本発明は、上記画像読取装置において、上記画像読取手段は、密着型イメージセンサである。密着型イメージセンサは、光源として発光ダイオード等の低照度の光源が採用される場合が多く、低照度の光源を用いると外光の影響を受けやすい。したがって、画像読取手段が密着型イメージセンサである場合に、前述した作用効果が一層顕著に現れる。
【発明の効果】
【００２９】
本発明に係る画像読取装置によれば、画像読取手段により上記基準部材を読み取り、外光検出手段が、その読取値から原稿載置台に外光が入射しているか否かを判断することとしたので、外光検出のためのセンサを別途設ける必要なく、外光の有無を検出することができ、装置の小型化及び低コスト化を図ることができる。
【発明を実施するための最良の形態】
【００３０】
以下、適宜図面を参照して本発明の実施形態を説明する。なお、本実施の形態は本発明の一例にすぎず、本発明の要旨を変更しない範囲で、実施形態を適宜変更できることは言うまでもない。
【００３１】
〔第１の実施の形態〕
図１は、本発明の第１の実施の形態に係る複合機１の外観構成を示すものである。本複合機１は、スキャナ機能、プリンタ機能、ファクシミリ機能を一体的に備えた多機能装置（ＭＦＤ：Multi Function Device）である。複合機１の上部は、原稿の画像を読み取るためのスキャナ部２であり、複合機１の下部は、記録用紙に画像を記録するためのプリンタ部３である。本発明に係る画像読取装置は、複合機１のスキャナ部２として実現されており、プリンタ機能等は本発明において任意の機構であり、例えば、スキャナ機能のみのスキャナ単体として本発明に係る画像読取装置を実現してもよい。
【００３２】
以下、スキャナ部２の構成について詳述する。図２は、図１のＡ−Ａ断面図であり、ＡＤＦ５の主要構成を示すものである。
図１及び図２に示すように、スキャナ部２は、ＦＢＳ（Flatbed Scanner）として機能する原稿載置台４に対して、自動原稿搬送機構であるオート・ドキュメント・フィーダ（ＡＤＦ：Auto Document Feeder）５を備えた原稿押さえカバー６（原稿押さえ部材）が、背面側の蝶番を介して開閉自在に取り付けられてなる。原稿載置台４は、複合機１の筐体として構成されており、原稿押さえカバー６と対向する天面にプラテンガラス２０（透明部材）が配設されている。上記原稿押さえカバー６が開かれることにより、プラテンガラス２０が原稿載置台４の上面として露出され、原稿押さえカバー６が閉じられることにより、プラテンガラス２０を含めて原稿載置台４の上面全体が覆われる。また、該プラテンガラス２０に対向するようにして、原稿載置台４の内部に画像読取ユニット２１が内蔵されている。
【００３３】
原稿押さえカバー６には、給紙トレイ２２から所定の搬送路２６を経て排紙トレイ２３へ原稿を連続搬送するＡＤＦ５が備えられている。該ＡＤＦ５による搬送過程において、原稿がプラテンガラス２０上を通過し、該プラテンガラス２０の下方において画像読取ユニット２１が該原稿の画像を読み取るようになっている。このＡＤＦ５の構造の詳細については後述する。また、原稿押さえカバー６の下面には、プラテンガラス２０上に載置された原稿を押さえるために、スポンジ及び白板等からなる押さえ部材１９が配設されている。
【００３４】
原稿載置台４の正面側には、操作パネル７が設けられている。操作パネル７は各種操作ボタンや液晶表示部から構成されており、複合機１は、該操作パネル７からの指示によって動作するようになっている。また、複合機１は、操作パネル７による指示のほか、コンピュータに接続されて該コンピュータからプリンタドライバやスキャナドライバ等を介して送信される指示によっても動作する。
【００３５】
また、複合機１の正面の左上部には、記録媒体である各種小型メモリカードを装填可能なスロット部８が設けられている。該スロット部８に装填された小型メモリカードに記録された画像データを読み出してその画像データに関する情報を液晶表示部に表示させ、任意の画像をプリンタ部３により記録用紙に記録させるための入力を、上記操作パネル７から行うことができる。
【００３６】
図１及び図２に示すように、原稿押さえカバー６に、給紙トレイ２２及び排紙トレイ２３が上下二段に設けられている。給紙トレイ２２は、原稿押さえカバー６の上面と一体に形成されている。ＡＤＦ５により画像読取りを行う原稿は、複数枚が積層された状態で、給紙方向の先端をＡＤＦ５に挿入するようにして、給紙トレイ２２上に載置される。また、給紙トレイ２２には、複合機１の奥行き方向に隔てて一対の原稿ガイド２４が、奥行き方向へスライド移動可能に設けられている。該原稿ガイド２４は、給紙トレイ２２から起立して、給紙トレイ２２に載置される原稿の幅方向の両端を案内するものであり、周知の連動機構により、一対のいずれか一方の原稿ガイド２４をスライド移動させると、他方の原稿ガイド２４も相反する方向へスライド移動する。
【００３７】
すなわち、原稿幅が狭い場合には、複合機１の正面側の一方の原稿ガイド２４を背面側へスライド移動させると、これに連動して、背面側の他方の原稿ガイド２４は正面側へスライド移動する。これにより、奥行き方向の略中央を中心として、一対の原稿ガイド２４により案内される原稿幅を狭くすることができる。逆に、原稿幅が広い場合には、複合機１の正面側の一方の原稿ガイド２４を正面側へスライド移動させると、これに連動して、背面側の他方の原稿ガイド２４は背面側へスライド移動して、一対の原稿ガイド２４により案内される原稿幅を広くすることができる。
【００３８】
上記一対の原稿ガイド２４には、給紙トレイ２２と上下方向に隔てて排紙トレイ２３が一体的に形成されている。ＡＤＦ５から排紙された原稿は、その両側を排紙トレイ２３に担持されて、給紙トレイ２２上の原稿と分離した状態で保持される。排紙トレイ２３は、排紙方向の長さが原稿の長さより短いので、原稿の排紙方向先端側は、排紙トレイ２３から垂れ下がるようにして、給紙トレイ２２上に保持される。したがって、給紙トレイ２２上の原稿の給紙方向後端部分の上に、排紙トレイ２３上の原稿の排紙方向先端部分が重なるが、給紙トレイ２２上の原稿の給紙方向先端部分と、排紙トレイ２３上の原稿の排紙方向後端部分とは、排紙トレイ２３により上下二段に保持されているので、これら原稿が混同することはない。また、排紙トレイ２３を短くすることにより、原稿押さえカバー６上に必要な空間を小さくして、複合機１を薄型且つ小型にすることができる。
【００３９】
また、給紙トレイ２２のＡＤＦ５が設けられていない側の端部には、給紙トレイ２２の上面から起立する起立姿勢と、給紙トレイ２２の上面と一体に倒伏する倒伏姿勢とに姿勢変化する原稿ストッパ２５が設けられている。図に示すように、原稿ストッパ２５を起立姿勢とすることにより、例えば、給紙トレイ２２と同程度の大きさの原稿がＡＤＦ５から排出された際に、該原稿が原稿ストッパ２５により制止され、給紙トレイ２２から滑り落ちることが防止される。このように、排出された原稿を原稿ストッパ２５で受け止めることにより、給紙トレイ２２の面積を小さくすることができ、給紙トレイ２２が一体的に形成された原稿押さえカバー６を小型化できる。また、原稿ストッパ２５が不要な場合には、倒伏姿勢とすることにより、原稿押さえカバー６から突出せず、梱包時や保管時の複合機１のサイズをコンパクトにできる。
【００４０】
図２に示すように、ＡＤＦ５の内部には、上記給紙トレイ２２と排紙トレイ２３とを連結するようにして、搬送路２６が横向き略Ｕ字形状に形成されている。搬送路２６は、原稿押さえカバー６に一体に形成されたＡＤＦ本体２７と、該ＡＤＦ本体２７に開閉自在に設けられたＡＤＦカバー２８とによって構成されている。図に示すように、ＡＤＦ５の吸入シュート部２９は、上記給紙トレイ２２が延長されるようにして、ＡＤＦ本体２７に形成された水平面と、ＡＤＦカバー２８の内側に配設された区画板３０によって、上下に所定幅の通路として構成されている。搬送路２６は、該吸入シュート部２９から、湾曲部３７を経て、排紙シュート部３８へ横向き略Ｕ字形状に形成されており、湾曲部３７及び排紙シュート部３８も、ＡＤＦ本体２７、ＡＤＦカバー２８、及び区画板３０等により、所定幅の通路として連続的に形成されている。
【００４１】
上記搬送路２６には、原稿を搬送するための搬送手段が配設されている。詳細には、図に示すように、吸入ローラ３１とこれに圧接する吸入ニップ片３２、分離ローラ３３とこれに圧接する分離ニップ片３４、及び搬送ローラ３５とこれに圧接するピンチローラ３６によって搬送手段が構成されている。なお、搬送手段を構成する各ローラやニップ片の構成は一例であり、ローラの数や配置を変更したり、各ニップ片に代えてピンチローラを用いる等、その他の公知の搬送手段に変更できることは勿論である。
【００４２】
図に示すように、吸入ローラ３１は、吸入シュート部２９の略中央に、そのローラ面の一部をＡＤＦ本体２７に形成された水平面の上面から露出するようにして回転可能に設けられている。また、分離ローラ３３は、該吸入ローラ３１から給紙方向へ隔てた位置に、同様に、そのローラ面の一部をＡＤＦ本体２７に形成された水平面の上面から露出するようにして回転可能に設けられている。これら吸入ローラ３１及び分離ローラ３３には搬送モータ６２（図７参照）からの駆動力が伝達されて、回転駆動されるようになっている。また、吸入ローラ３１及び分離ローラ３３は同径であり、同じ周速度で回転される。また、吸入ローラ３１への駆動伝達においては１周クラッチが介設されており、吸入ローラ３１は１周分の空転が可能となっている。
【００４３】
吸入ニップ片３２は、上記区画板３０の吸入ローラ３１の対向位置に、吸入ローラ３１と接離する方向へ揺動可能に設けられている。また、該吸入ニップ片３２は、不図示のバネ部材により下方へ弾性付勢されており、原稿をニップしない状態で吸入ローラ３１のローラ面に圧接されている。同様に、分離ニップ片３４は、上記区画板３０の分離ローラ３３の対向位置に、分離ローラ３３と接離する方向へ揺動可能に設けられており、不図示のバネ部材により下方へ弾性付勢されて、原稿をニップしない状態で分離ローラ３３のローラ面に圧接されている。これら吸入ニップ片３２及び分離ニップ片３４により原稿がニップされることにより、該原稿が吸入ローラ３１及び分離ローラ３３に圧接されて、吸入ローラ３１及び分離ローラ３３の回転力が原稿に伝達される。
【００４４】
搬送ローラ３５は、搬送路２６の横向き略Ｕ字形状の湾曲部３７に配設されている。該搬送ローラ３５は、そのローラ面が湾曲部３７の一部をなす程度の外径のものである。該搬送ローラ３５は、上記吸入ローラ３１及び分離ローラ３３と同様に、搬送モータ６２からの駆動力が伝達されて、回転駆動されるようになっている。
【００４５】
搬送ローラ３５の周囲には、ピンチローラ３６が３箇所に設けられている。各ピンチローラ３６は、その軸がバネ片に弾性付勢されてＡＤＦ本体２７又はＡＤＦカバー２８に回転自在に支持されて、搬送ローラ３５のローラ面に圧接している。そして、搬送ローラ３５が回転すれば、これに従動してピンチローラ３６も回転する。これらピンチローラ３６により、原稿が搬送ローラ３５に圧接されて、搬送ローラ３５の回転力が原稿に伝達される。
【００４６】
搬送ローラ３５の原稿搬送方向下流側には、排紙シュート部３８が形成されている。排紙シュート部３８は、ＡＤＦカバー２８の内面と搬送ローラ３５とで構成された搬送路２６の湾曲部３７と連続するようにして、ＡＤＦカバー２８と区画板３０との間に形成されている。したがって、給紙トレイ２２から搬送路２６へ供給された原稿は、吸入シュート部２９、湾曲部３７、排紙シュート部３８を順次経て、排紙トレイ２３に排出される。
【００４７】
ＡＤＦカバー２８は、吸入ローラ３１より給紙トレイ２２側を回動軸として、上方へ回動自在に設けられている。ＡＤＦカバー２８を開くことにより、吸入シュート部２９及び湾曲部３７が開放されるとともに、吸入ローラ３１及び分離ローラ３３と、吸入ニップ片３２及び分離ニップ片３４とが離間される。したがって、ＡＤＦカバー２８を開くことにより、搬送路２６において発生した紙詰まりを解消したり、ＡＤＦ５の内部のメンテナンスを行うことができる。
【００４８】
図２及び図３に示すように、原稿載置台４の上面にはプラテンガラス２０が配設されている。該プラテンガラス２０は、スキャナ部２をＦＢＳとして使用する場合に原稿を載置するものであり、１枚の透明なガラス板である。原稿載置台４の筐体３９は、その上面中央にプラテンガラス２０を露出するための開口が形成されている。プラテンガラス２０は、該開口より十分に大きなものであり、プラテンガラス２０のうち開口から露出された領域が原稿読取領域となる。
【００４９】
上記筐体３９内には、すなわちプラテンガラス２０の原稿載置面と反対側には画像読取ユニット２１が配設されている。筐体３９は合成樹脂製のものであり、画像読取ユニット２１が配設される部分と操作パネル７の基板等が配設される部分とを区画する区画板や、プラテンガラス２０を支持するための支持リブ、各種部材をネジ止めするためのボス部、電気配線等のための貫通孔等が設けられているが、これらは原稿載置台４の実施態様に応じて適宜設計されるものなので、詳細な説明は省略する。
【００５０】
画像読取ユニット２１は、図２に示すように、ＣＩＳユニット４０（画像読取手段）、キャリッジ４１（走査手段）、及び不図示の走査機構から構成されている。ＣＩＳユニット４０は、光源４２からプラテンガラス２０を通じて原稿に光を照射し、該原稿からの反射光をレンズ４３により受光素子４４に集光して電気信号に変換するいわゆる密着型のイメージセンサである。受光素子４４は、例えばチップ単位で搬送ローラ３５の軸方向、すなわち原稿の幅方向に一列に並べられており、光源４２及びレンズ４３も同方向に列設されている。また、光源４２には、レッド（Ｒ）・グリーン（Ｇ）・ブルー（Ｂ）に色分解された３色の発光ダイオード（ＬＥＤ）が用いられている。
【００５１】
図４に示すように、上記ＣＩＳユニット４０はキャリッジ４１に搭載されてプラテンガラス２０に密接されており、キャリッジ４１は、走査機構であるベルト駆動機構によりプラテンガラス２０の下方を走査可能に設けられている。キャリッジ４１は、原稿載置台４の筐体３９の幅方向に渡って架設されたガイドシャフト４５と嵌合して、不図示のベルト駆動機構により駆動されてガイドシャフト４５上を摺動して移動するものであり、該キャリッジ４１が上記ＣＩＳユニット４０をプラテンガラス２０に密着させるように搭載してガイドシャフト４５上を移動することにより、ＣＩＳユニット４０がプラテンガラス２０に沿って走査される。
【００５２】
図に示すように、キャリッジ４１は、その上側に担持するようにして上記ＣＩＳユニット４０を搭載しており、キャリッジ４１の下面には、ガイドシャフト４５を上方から跨ぐようにして嵌合するシャフト受け部４６が形成されている。該シャフト受け部４６とガイドシャフト４５とが嵌合して、キャリッジ４１がガイドシャフト４５に担持されてガイドシャフト４５の軸方向に摺動自在となっている。また、シャフト受け部４６の側方には、ベルト掴持部４７が下方へ突設されている。該ベルト掴持部４７は、ベルト駆動機構のタイミングベルトを掴むことにより、該タイミングベルトとキャリッジ４１とを連結するためのものである。これにより、ベルト駆動機構からキャリッジ４１に駆動力が伝達されて、ガイドシャフト４５上をキャリッジ４１が移動するものとなる。なお、ベルト駆動機構は、例えば、駆動プーリと従動プーリとの間にタイミングベルトが巻架され、モータの回転が駆動プーリの軸に出力され、該駆動プーリの回転によりタイミングベルトが周運動するように構成されている。
【００５３】
また、上記ＣＩＳユニット４０が搭載されるキャリッジ４１の内側には、バネ受け部４８が左右２箇所に形成されており、該バネ受け部４８により位置決めされて、ＣＩＳユニット４０とキャリッジ４１との間にコイルバネ４９が介設されている。このコイルバネ４９により、キャリッジ４１に搭載されたＣＩＳユニット４０がプラテンガラス２０の下面に押し付けられるように密着している。ＣＩＳユニット４０の両端側には、コロ５０が設けられており、該コロ５０により、プラテンガラス２０の下面に押し付けられたＣＩＳユニット４０が、キャリッジ４１の移動に伴いプラテンガラス２０の下面に密着しながら円滑に移動するようになっている。
【００５４】
図３に示すように、上記プラテンガラス２０の上面には、プラテンガラス２０が原稿載置台４の上面として露出された領域を区画する区画部材５１が配設されている。区画部材５１は、原稿載置台４の奥行き方向、換言すれば原稿読取ユニット２１の延設方向に長尺の平板状の部材であり、図に示すように、プラテンガラス２０を左右２つの領域に区画している。図２に示したように、プラテンガラス２０の一端側（図左側）は、上記搬送ローラ３５の下方にまで至っており、ＡＤＦ５を用いて画像読取りを行う際の読取面を構成している。
【００５５】
一方、プラテンガラス２０の他端側は、スキャナ部２をＦＢＳとして使用する場合の原稿載置面をなしている。そして、上記区画部材５１は、ＡＤＦ５における読取面である搬送読取領域２０Ｌと、ＦＢＳにおける原稿載置面である静止原稿読取領域２０Ｒとにプラテンガラス２０を左右に区画している。また、区画部材５１は、静止原稿読取領域２０Ｒに原稿を載置する際に、原稿の位置決め基準として用いられる。したがって、原稿は、区画部材５１に記した中央位置を基準として静止原稿読取領域２０Ｒに載置され、区画部材５１には、中央位置やＡ４サイズ、Ｂ５サイズ等の各種原稿サイズの両端位置を示す表示が記されている。
【００５６】
また、図５に示すように、上記区画部材５１は、原稿押さえカバー６と対向する面にガイド面５２が形成されている。ガイド面５２は、区画部材５１の搬送ローラ３５と対向する面を、プラテンガラス２０の搬送原稿読取領域２０Ｌへ向かって厚みが薄くなるように傾斜させたものであり、このガイド面５２により、給紙トレイ２２から搬送路２６へ搬送される原稿の先端が搬送原稿読取領域２０Ｌへ案内される。これにより、搬送原稿読取領域２０Ｌへの原稿の搬送を円滑ならしめるとともに、区画部材５１と別途にガイド部材を設ける必要がなく、部材の共通化によりスキャナ部２の小型化及びコストダウンを実現することができる。
【００５７】
また、上記ガイド面５２は、読取前の原稿を搬送原稿読取領域２０Ｌへ案内するものなので、ガイド面５２の最下部をプラテンガラス２０の表面より凹ませる必要がない。つまり、搬送原稿読取領域２０Ｌの下流側に形成されたガイド面３９Ａは、読取後の原稿を搬送原稿読取領域２０Ｌからすくい上げるように案内するものなので、仮に、ガイド面３９Ａの最下端がプラテンガラス２０の表面より突出していれば、読取後の原稿の先端がガイド面３９Ａの最下端に当接してジャム等の原因となり得る。したがって、ガイド面３９Ａの最下端はプラテンガラス２０の表面より凹ませておくことが好適である。
【００５８】
これに対し、仮に、区画部材５１のガイド面５２の最下端がプラテンガラス２０より突出していたとしても、原稿が区画部材５１に当接してジャムが生ずるおそれはない。したがって、プラテンガラス２０を搬送原稿読取領域２０Ｌと静止原稿読取領域２０Ｒとに分割して、区画部材５１のガイド面５２の最下端をプラテンガラス２０より凹ませる必要がなく、これら領域を１枚のプラテンガラス２０で構成し、区画部材５１をプラテンガラス２０の上面に配設することができる。これにより、プラテンガラス２０及び区画部材５１の構成が簡易になるとともに、スキャナ部２の組立てが容易となる。
【００５９】
図５に示すように、上記区画部材５１の下面側には、プラテンガラス２０との間に介在するように基準部材５３が設けられている。この基準部材５３は、ＣＩＳユニット４０の明度基準となるものである。詳細には、基準部材５３は、区画部材５１の下面のほぼ全域を覆う薄膜帯状の部材であり、図６に示すように、ＣＩＳユニット４０の副走査方向、すなわち図の左右方向に３つの領域を有する。左端側の領域５３Ａは白色に着色された領域であり、ＣＩＳユニット４０の光量調整や白レベルデータの取得に用いられる。中央の領域５３Ｂは黒色に着色された領域であり、ＣＩＳユニット４０の黒レベルデータの取得に用いられる。また、左端の領域５３Ａと中央の領域５３Ｂの境界が、ＣＩＳユニット４０の副走査方向の基準となる。右端の領域５３Ｃは奥行き方向の中央が白色に着色され、且つ両端が黒色に着色された領域であり、ＣＩＳユニット４０の主走査方向の基準となる。このような基準部材５３が、各領域がＣＩＳユニット４０の延設方向と同方向となるようにして、区画部材５１とプラテンガラス２０との間に介設されている。
【００６０】
このように、区画部材５１の下面に基準部材５３を介設することにより、例えば、原稿載置台４の左側の走査端等に基準部材５３を設けるスペースを確保する必要がなく、原稿載置台４を小型化することができる。特に、原稿載置台４の幅方向であって搬送原稿読取領域２０Ｌが設けられた側、すなわち図３における原稿載置台４の左側を省スペース化することにより、ＡＤＦ５の搬送ローラ３５を可能な限り原稿押さえカバー６の幅方向端部に配置することができ、スキャナ部２の幅方向の寸法を小さくすることができる。また、区画部材５１と基準部材５３とを略同幅とすることにより、区画部材５１の幅が小さくなるので、原稿載置台４の上面に露出されるプラテンガラス２０の領域を小さくすることができる。これにより、原稿載置台４の上面の面積を小さくして、スキャナ部２を小型化することができる。
【００６１】
図７は、複合機１の制御部５５の構成を示している。該制御部５５は、スキャナ部２のみでなくプリンタ部３も含む複合機１の全体動作を制御するものである。しかしながら、本実施の形態においてはプリンタ部３の構成要素は詳述する必要がないので、図においてはプリンタ部３の構成要素は省略されている。制御部５５は、図に示すように、ＣＰＵ５６、ＲＯＭ５７、ＲＡＭ５８、ＥＥＰＲＯＭ（Electrically Erasable and Programmable ROM）５９を主とするマイクロコンピュータとして構成されており、バス６０を介してＡＳＩＣ（Application Specific Integrated Circuit）６１に接続されている。
【００６２】
ＲＯＭ５７には、複合機１の各種動作を制御するためのプログラム等が格納されている。ＲＡＭ５８は、ＣＰＵ５６が上記プログラムを実行する際に用いる各種データを一時的に記録する記憶領域又は作業領域として使用される。例えば、ＣＩＳユニット４０の光源４２の光量調整値や、基準部材５３に対して取得した白レベルデータ及び黒レベルデータがＲＡＭ５８に記憶される。また、ＥＥＰＲＯＭ５９は、電源オフ後も記録を保持すべき各種設定やフラグ等を格納する記憶領域であり、例えば光量設定値が格納される。光量設定値は、ＣＩＳユニット４０が原稿押さえカバー６を閉じた状態で基準部材５３に対して後述する光量調整を行った場合に得られるであろう光量調整値であって、複合機１の製造時や工場出荷の際に予め入力設定されたものである。これらＣＰＵ５６、ＲＯＭ５７、ＲＡＭ５８、及びＥＥＰＲＯＭ５９によって本発明に係る外光検出手段が実現される。
【００６３】
ＡＳＩＣ６１は、ＣＰＵ５６からの指令に従い、搬送（ＬＦ）モータ６２に通電する相励磁信号等を生成して、該信号を搬送モータ６２の駆動回路６３に付与し、該駆動回路６３を介して駆動信号を搬送モータ６２に通電することにより、搬送モータ６２の回転制御を行っている。
【００６４】
駆動回路６３は、上記吸入ローラ３１、分離ローラ３３及び搬送ローラ３５に接続された搬送モータ６２を駆動させるものであり、ＡＳＩＣ６１からの出力信号を受けて、搬送モータ６２を回転するための電気信号を形成する。該電気信号を受けて搬送モータ６２が回転し、該搬送モータ６２の回転力がギアや駆動軸等からなる周知の駆動機構を介して、分離ローラ３３及び搬送ローラ３５へ伝達される。
【００６５】
同様に、ＡＳＩＣ６１は、ＣＰＵ５６からの指令に従い、キャリッジ（ＣＲ）モータ６４に通電する相励磁信号等を生成して、該信号をキャリッジモータ６４の駆動回路６５に付与し、該駆動回路６５を介して駆動信号をキャリッジモータ６４に通電することにより、キャリッジモータ６４の回転制御を行っている。
【００６６】
駆動回路６５は、上記キャリッジ４１に接続されたベルト駆動機構のキャリッジモータ６４を駆動させるものであり、ＡＳＩＣ６１からの出力信号を受けて、キャリッジモータ６４を回転するための電気信号を形成する。該電気信号を受けてキャリッジモータ６４が回転し、該キャリッジモータの回転力が周知のベルト駆動機構を介して、キャリッジ４１へ伝達されことによりキャリッジ４１が走査される。
【００６７】
また、ＡＳＩＣ６１には、搬送路２６において原稿を検出するためのリードセンサ６６や、分離ローラ３３及び搬送ローラ３５の回転量を検出するためにこれらに設けられたロータリエンコーダ６７、キャリッジ４１の移動量を検出するためのリニアエンコーダ６８が接続されている。
【００６８】
また、ＡＳＩＣ６１には、搬送路２６を搬送される原稿の画像読取りを行うＣＩＳユニット４０が接続されている。そして、ＲＯＭ５７に格納された制御プログラムに基づいて、光量調整や白レベルデータ及び黒レベルデータの取得、画像読取りが行われる。
【００６９】
さらに、ＡＳＩＣ６１には、複合機１の操作指示を行うための操作パネル７、各種小型メモリカードが挿入されるスロット部８、パソコン等の外部機器とパラレルケーブルやＵＳＢケーブルを介してデータの送受信を行うためのパラレルインタフェース６９及びＵＳＢインタフェース７０、ファクシミリ機能を実現するためのＮＣＵ（Network Control Unit）７１やＭＯＤＥＭ７２も接続されている。
【００７０】
以下、スキャナ部２の動作について説明する。
スキャナ部２をＦＢＳとして使用する場合には、原稿押さえカバー６を開いてプラテンガラス２０の静止原稿読取領域２０Ｒに原稿Ｇを載置する。そして、原稿押さえカバー６を閉じて、該原稿Ｇをプラテンガラス２０上に固定する。その後、操作パネル７のスタートボタンを押すことにより、制御部５５が、キャリッジ４１をプラテンガラス２０に沿って移動させ、その移動の間にＣＩＳユニット４０によりプラテンガラス２０の静止原稿読取領域２０Ｒに載置された原稿Ｇの画像を読み取る。
【００７１】
一方、ＡＤＦ５を使用する場合には、原稿押さえカバー６を原稿載置台４に対して閉じた状態とする。そして、給紙トレイ２２に読み取るべき原稿Ｇを載置する。該原稿Ｇは１枚であっても複数枚であってもよい。例えば、同じサイズの複数枚の原稿Ｇの画像読取りを行う場合には、各原稿Ｇを重ねて揃え、その一端を給紙トレイ２２から吸入シュート部２９に挿入する。
【００７２】
そして、操作パネル７のスタートボタンを押せば、制御部５５が、モータを駆動して、吸入ローラ３１、分離ローラ３３、搬送ローラ３５を所定のタイミングで回転駆動する。そして、吸入ローラ３１及び分離ローラ３３の回転力を直接受ける最下位置の原稿Ｇから１枚ずつ分離されて搬送路２６へ送り込まれる。給送された原稿Ｇは、搬送路２６に案内されて搬送原稿読取領域２０Ｌへ搬送され、該搬送原稿読取領域２０Ｌの下方で静止されたＣＩＳユニット４０により原稿Ｇの画像読取りが行われる。そして、画像読取りを終えた原稿Ｇは、排紙シュート部３８から排紙トレイ２３へ排出される。
【００７３】
このようなスキャナ部２による画像読取りにおいて、ＣＩＳユニット４０が原稿Ｇの画像読取りを開始する前に、ＣＩＳユニット４０の出力調整として、光源４２の光量調整、並びに白レベルデータ及び黒レベルデータの取得が行われ、さらに外光検出及び画像読取りが行われる。
【００７４】
図５から図１２を用いて詳細に説明するに、先ず制御部５５は、キャリッジ４１を基準位置ＲＰに移動させる。この基準位置ＲＰは、基準部材５３の左端の領域５３Ａと中央の領域５３Ｂの境界であり、ＣＩＳユニット４０の出力が白色と黒色とで変化することにより判断できる。そして、画像読取りに先立ってキャリッジ４１を基準部材５３の下方、すなわち図５におけるホームポジションＨＰに移動させる。このホームポジションＨＰは、基準部材５３の左端の領域５３Ａに対応する位置である。このように、基準部材５３と同じ位置をホ−ムポジションＨＰとしてＣＩＳユニット４０の待機位置とすることにより、基準部材５３に対して光量調整を行うまでに、キャリッジ４１を移動させる距離が短くなり、画像読取動作を高速化することができる。
【００７５】
そして、制御部５５は、ＣＩＳユニット４０の光源４２の光量調整を基準部材５３に対して行う（Ｓ１）。詳細には、最初に十分に小さい光量で光源４２から基準部材５３の領域５３Ａに光を照射する。この場合、領域５３Ａからの反射光も小さくなるので、ＣＩＳユニット４０の受光素子４４からの出力も小さい。そして、受光素子４４の出力が所望の値となるまで段階的に光源４２の光量を増加し、図９（ａ）に示すように、ＣＩＳユニット４０の出力が所望の値Ｓとなったときの光量を光量調整値としてＲＡＭ５８に記憶する（Ｓ２）。
【００７６】
続いて、制御部５５は、基準部材５３に対してＣＩＳユニット４０の白レベルデータ及び黒レベルデータを取得する（Ｓ３，Ｓ４）。詳細に説明するに、制御部５５は、キャリッジ４１を基準部材５３の左端の領域５３Ａに対応する位置において、ＣＩＳユニット４０の光源４２から、上記光量調整値で領域５３Ａに光を照射する。そして、該領域５３Ａからの反射光を受光素子４４で電気信号に変換して白レベルデータを取得する（Ｓ３）。この白レベルデータの取得は、領域５３Ａに対して複数回行って、その平均を用いるようにしても、また、領域５３Ａの範囲内でキャリッジ４１を移動させながら行うようにしてもよい。
【００７７】
白レベルデータを取得した後、制御部５５は、キャリッジモータ６４を駆動させてキャリッジ４１を基準部材５３の中央の領域５３Ｂに対応する位置へ移動させる。そして、光源４２を消灯した状態で得られた受光素子４４の電気信号から黒レベルデータを取得する（Ｓ４）。この黒レベルデータの取得も、前述と同様に複数回行っても、領域５３Ｂの範囲内でキャリッジ４１を移動させながら行ってもよい。また、白レベルデータの取得と黒レベルデータの取得とは順序が逆であってもよい。このようにして得られた白レベルデータ及び黒レベルデータは、画像読取りにおけるシェーディング補正の基準データとして用いるために、ＲＡＭ５８に記憶させる（Ｓ５）。
【００７８】
続いて、制御部５５は、原稿載置台４に外光Ｌが入射しているか否かを検出する（Ｓ６）。詳細に説明するに、原稿押さえカバー６を開くことにより、図１２に示すように、原稿載置台４の上面のプラテンガラス２０が露出され、該プラテンガラス２０を通じて原稿載置台４の内部に外光Ｌが進入する。例えば、スキャナ部２をＦＢＳとして用いる場合に、ブック原稿等の厚みのある原稿等をプラテンガラス２０に載置すれば、原稿押さえカバー６を完全に閉じることができない。また、プラテンガラス２０の静止原稿読取領域２０Ｒよりも大きなサイズの原稿の一部を読み取る場合等には、読取箇所を確認するために原稿押さえカバー６を敢えて閉じずに画像読取りを行うことも想定される。そして、図に示すように、原稿押さえカバー６が開姿勢であれば、搬送原稿読取領域２０Ｌは露出された状態なので、搬送原稿読取領域２０Ｌから外光Ｌが原稿載置台４の内部へ入射する。一方、原稿押さえカバー６を閉じれば、図５に示すように、プラテンガラス２０は原稿押さえカバー６に覆われるので、外光Ｌが遮断され原稿載置台４の内部に進入しない。
【００７９】
ＣＩＳユニット４０は、原稿載置台４の内部に配設されているので、後述するように、ＣＩＳユニット４０が基準部材５３に対して光源４２から光を照射して反射光を読み取ることにより外光入射の有無を判断することができる。詳細には、図１０に示すように、制御部５５は、ＣＩＳユニット４０が基準部材５３の左端の白色の領域５３Ａに対応する位置となるように、キャリッジ４１を移動する（Ｓ２１）。そして、ＣＩＳユニット４０の光源４２を消灯して上記基準部材５３の左端の領域５３Ａを読み取る（Ｓ２２）。得られた読取値は領域５３ＡのデータとしてＲＡＭ５８に記憶する。
【００８０】
続いて制御部５５は、ＣＩＳユニット４０が基準部材５３の中央の黒色の領域５３Ｂに対応する位置となるように、キャリッジ４１を移動する（Ｓ２３）。そして、ＣＩＳユニット４０の光源４２を消灯して上記基準部材５３の中央の領域５３Ｂを読み取る（Ｓ２４）。得られた読取値は領域５３ＢのデータとしてＲＡＭ５８に記憶する。
【００８１】
そして、制御部５５は、ＲＡＭに記憶された領域５３Ａの読取値と領域５３Ｂの読取値の差を算出し（Ｓ２５）、この差が予め定められた所定の閾値以上であるか否かを判断する（Ｓ２６）。仮に、原稿押さえカバー６が原稿載置台４に対して閉じられていれば、原稿押さえカバー６により外光Ｌが遮断されるので、原稿載置台４の内部に外光Ｌは入射しない。したがって、原稿載置台４の内部は光のない暗闇であり、ＣＩＳユニット４０が、光源４２を消灯して基準部材５３の領域５３Ａ及び領域５３Ｂをそれぞれ読み取っても、これら領域５３Ａ及び領域５３Ｂからの反射光がいずれもないので、図１１（ａ）に示すように、いずれの読取値も黒レベルデータと同程度の出力Ｎとなる。したがって、領域５３Ａの読取値と領域５３Ｂの読取値との差が所定の閾値未満であれば、制御部５５は、外光Ｌの入射なしと判断する（Ｓ２７）。
【００８２】
一方、原稿押さえカバー６が原稿載置台４に対して開かれていれば、原稿載置台４の内部に外光Ｌが入射する。したがって、ＣＩＳユニット４０が、光源４２を消灯して基準部材５３の領域５３Ａ及び領域５３Ｂをそれぞれ読み取れば、原稿載置台４に入射した外光ＬがＣＩＳユニット４０の内部に入射して読み取られ、さらに外光Ｌが領域５３Ａ及び領域５３Ｂに対してそれぞれ反射して、その反射光がＣＩＳユニット４０にそれぞれ読み取られる。領域５３Ａは白色なので反射率が大きく、ＣＩＳユニット４０に入射した外光Ｌ及び領域５３Ａの反射光がＣＩＳユニット４０の読取値に影響し、図１１（ｂ）に示すように、これらに相当する出力Ｎ１が得られる。一方、領域５３Ｂは黒色なので反射率が大きく、ＣＩＳユニット４０に入射した外光ＬのみがＣＩＳユニット４０の読取値に影響し、上記出力Ｎ１より小さな出力Ｎ２が得られる。すなわち出力Ｎ１と出力Ｎ２との間には、基準部材５３の領域５３Ａと領域５３Ｂとの反射率の差が出力差として生ずる。したがって、領域５３Ａの読取値と領域５３Ｂの読取値との差が所定の閾値以上であれば、制御部５５は、外光Ｌの入射ありと判断する（Ｓ２８）。
【００８３】
なお、領域５３Ａの読取値と領域５３Ｂの読取値との差は、例えば、各領域の読取値のうち最高出力の差を算出しても、ＣＩＳユニット４０の主走査方向の各画素毎に差を算出し、その差の最高値や平均値を閾値と比較したり、各画素毎の差のうち閾値以上となる画素数をカウントして、そのカウント数が所定以上であるか否かで判断してもよい。また、閾値はＣＩＳユニット４０の出力調整等を考慮して適宜定められるものであり、例えば製造時や工場出荷時にＥＥＰＲＯＭ５９に入力設定される。また、制御部５５により判断された外光入射の有無はＲＡＭ５８に記憶される。
【００８４】
図８に示すように、外光検出を終えた後、制御部５５は、ＦＢＳによる画像読取りを行うために、キャリッジ４１を静止原稿読取領域２０Ｒにおける読取開始位置である位置Ｐ１へ移動させる。そして、制御部５５は、外光なしと判断した場合には（Ｓ７）、基準部材５３に対して得られた光量調整値で光源４２から光を照射しながらキャリッジ４１をプラテンガラス２０に沿って移動させ、原稿Ｇからの反射光を受光素子４４で電気信号に変換して画像読取りを行う（Ｓ８）。外光Ｌの入射がない場合には、前述した光源４２の光量調整（Ｓ１）において外光Ｌの影響を受けないので、適正な光量調整値が得られる。したがって、その光量調整値で光源４２から原稿Ｇに光を照射することにより、基準部材５３の領域５３Ａの白色と領域５３Ｂの黒色とに対して得られたＣＩＳユニット４０の出力と同等の出力が、原稿Ｇの白色部分と黒色部分とから得られる。
【００８５】
一方、制御部５５は、外光ありと判断した場合には（Ｓ７）、ＥＥＰＲＯＭ５９に格納された光量設定値で光源４２から光を照射しながらキャリッジ４１をプラテンガラス２０に沿って移動させ、原稿Ｇからの反射光を受光素子４４で電気信号に変換して画像読取りを行う（Ｓ９）。原稿載置台４に外光Ｌの入射がある場合には、前述した光源４２の光量調整（Ｓ１）において外光Ｌの影響を受ける。
【００８６】
詳細には、外光Ｌは、原稿載置台４の内部の部材に反射したり、プラテンガラス２０の厚み内を反射しながら、基準部材５３に入射したり、ホームポジションＨＰにあるＣＩＳユニット４０に入射する。特に、ＣＩＳユニット４０は、図２に示したように、受光素子４４が上側を向いて配設されているので、ＣＩＳユニット４０の上面から内部へ進入した外光Ｌが受光素子４４の出力に影響しやすい。したがって、外光Ｌが進入した状態で基準部材５３に対して光量調整を行えば、図９（ｂ）に示すように、光源４２から照射される光量が、その外光Ｌの光量分だけ小さな光量であっても、受光素子４４は反射光量と外光Ｌとの和の光量を受光するので、所定の出力Ｓが得られる。その結果、光源４２は、図に２点鎖線で示した外光Ｌの分だけ小さな出力Ｓ１となるような光量調整値とされる。
【００８７】
一方、図１２に示すように、静止原稿読取領域２０Ｒの読取開始位置Ｐ１は、搬送原稿読取領域２０Ｌから十分に離れているので、外光Ｌの影響を受け難い。したがって、基準部材５３に対して得られた光量調整値、すなわち図９（ｂ）に示した出力Ｓ１となる光量調整値で光源４２から原稿Ｇに対して光を照射すると、外光Ｌがない分だけ受光素子４４が受光する光量が不足する。
【００８８】
仮に、出力Ｓ１となる光量調整値で光源４２から原稿Ｇに光を照射すれば、基準部材５３の領域５３Ａの白色と領域５３Ｂの黒色とに対して得られたＣＩＳユニット４０の出力より小さな出力が、原稿Ｇの白色部分と黒色部分とから得られるので、読取画像は全体的に暗くなる。よって、外光の影響を受けた上記光量調整値を用いずに、ＥＥＰＲＯＭ５９に記憶された光量設定値を用いて光源４２から光を照射することにより、外光Ｌの入射があっても、外光Ｌの入射がない場合に得られる光量で光源４２から光を照射することができる。
【００８９】
続いて、制御部５５は、キャリッジ４１の移動の間にＣＩＳユニット４０から順次出力されるデータに対してシェーディング補正を行う（Ｓ１０）。詳細には、ＣＩＳユニット４０の出力信号をアナログ／デジタル変換し、ＲＡＭ５８に記憶された基準データに基づいてシェーディング補正を行う。この基準データは、原稿押さえカバー６の開閉に拘わらず、それぞれの状態で得られた光量調整値で光源４２から基準部材５３の領域５３Ａに光を照射して得られた白レベルデータと、光源４２を消灯して領域５３Ｂに対して得られた黒レベルデータである。
【００９０】
外光Ｌの入射がない場合には、基準部材５３に対する光量調整で得られた光量調整値は外光Ｌの影響を受けていないものである。そして、基準部材５３に対する白レベルデータ及び黒レベルデータの取得、並びに原稿Ｇの画像読取りも外光Ｌの影響を受けない状態で行われるので、これら動作のすべてにおいて得られた光量調整値を用いればよい。
【００９１】
これに対し、原稿載置台４に外光Ｌが入射している場合には、基準部材５３に対する光量調整で得られた光量調整値は外光Ｌの影響を受けている。しかし、白レベルデータ及び黒レベルデータの取得は、外光Ｌの影響を受けた同一の基準部材５３に対して行うので、仮に、光量設定値を用いて白レベルデータ及び黒レベルデータを取得すると、図９（ｃ）に示すように、基準部材５３の領域５３Ａに対して本来得るべき所望の出力Ｓに外光Ｌに相当する出力が加わって、出力Ｓより大きな出力Ｓ２の白レベルデータが取得されることとなる。
【００９２】
一方、原稿Ｇの画像読取りにおいては、前述したように外光Ｌの影響を受け難いので、原稿Ｇの白色部分からは、上記出力Ｓと同等の出力が得られる。これに対して、出力Ｓ２が得られた白レベルデータを基準としてシェーディング補正を行えば、読取画像は全体的に暗くなる。したがって、外光Ｌが影響した基準部材５３に対して光量調整をして得られた光量調整値を用いて光源４２から光を照射して、基準部材５３に対して白レベルデータを取得することにより、外光Ｌを考慮した適切な光量による基準データが取得できる。
【００９３】
そして、シェーディング補正が行われたＣＩＳユニット４０の出力データは、画像データとしてＲＡＭ５８に格納される（Ｓ１１）。また、制御部５５は、画像読取りを終えれば、走査キャリッジ４１をホームポジションＨＰへ戻して待機状態となる。
【００９４】
このように、本複合機１のスキャナ部２によれば、ＣＩＳユニット４０の光源４２を消灯して基準部材５３の領域５３Ａ及び領域５３Ｂを読み取り、制御部５５が、その読取値の差から原稿載置台４に外光Ｌが入射しているか否かを判断するので、外光検出のためのセンサを別途設ける必要なく、外光Ｌの有無を検出することができ、装置の小型化及び低コスト化を図ることができる。
【００９５】
なお、本実施の形態では、本発明に係る画像読取手段として密着型イメージセンサであるＣＩＳユニット４０を用いた場合について説明したが、本発明に係る画像読取手段は、密着型イメージセンサの他、例えば縮小光学系のＣＣＤイメージセンサを用いることもできる。
【００９６】
また、本実施の形態では、外光検出の有無により、光量調整で得られた光量調整値を、画像読取りにおけるＣＩＳユニット４０の光源４２の光量値として採用するか否かを判断することとしたが、本発明による外光検出の利用方法が本実施の形態に示した態様に限定されないことは言うまでもない。
【００９７】
また、本実施の形態では、画像読取りの際のＣＩＳユニット４０の出力調整時に外光検出を行うものとしたが、本発明により外光検出を行うタイミングが本実施の形態に示した態様に限定されないことも当然である。したがって、例えば、ＣＩＳユニット４０を複合機１の電源がオンとされている間において、所定時間間隔で外光検出を行うようにし、外光入射ありの状態で画像読取り開始が指示された場合には、光量調整を行うことなく光量設定値や既に得られた光量調整値で光源４２から光を照射して、ＣＩＳユニット４０による画像読取りを行うこととしてもよい。
【００９８】
また、本実施の形態では、光量設定値は、製造時や工場出荷時にＥＥＰＲＯＭ５９に入力設定されるものとしたが、本発明に係る光量設定値は、このような予め設定されたものに限定されず、例えば、制御部５５が、外光入射なしと判断した場合に得られた光量調整値を、その後の画像読取りにおける光量設定値として用いることができる。
【００９９】
また、本実施の形態では、ＡＤＦ５において給紙トレイ２２の上方に排紙トレイ２３を配置して、原稿Ｇを下方から上方へＵターン搬送されるものとし、区画部材５１に形成されたガイド面５２は、読取前の原稿Ｇを搬送原稿読取領域２０Ｌに案内するものとしたが、ＡＤＦ５の給紙トレイ２２を排紙トレイ２３の上方に配置して、原稿Ｇを上方から下方へＵターン搬送されるものとし、区画部材５１に形成されたガイド面５２は、読取後の原稿Ｇを搬送原稿読取領域２０Ｌから排紙トレイ２３へ案内するものとしてもよい。
【０１００】
〔第２の実施の形態〕
以下、本発明の第２の実施の形態について説明する。
上記第１の実施の形態では、図１０に示したように、ＣＩＳユニット４０の光源４２を消灯して基準部材５３の領域５３Ａ及び領域５３Ｂを読み取り、その読取値の差から外光入射の有無を判断することとしたが、本実施の形態では、ＣＩＳユニット４０の光源４２を点灯して基準部材５３を読み取り、その読取値から外光入射の有無を判断する。なお、本実施の形態において、複合機１の構成は上記第１の実施の形態と同様であるので詳細な説明は省略する。
【０１０１】
以下、スキャナ部２の動作について説明するが、スキャナ部２をＦＢＳとして使用する場合、及びＡＤＦ５を使用する場合のスキャナ部２の使用方法は上記第１の実施の形態と同様である。また、スキャナ部２による画像読取りにおいて、ＣＩＳユニット４０が原稿Ｇの画像読取りを開始する前に、ＣＩＳユニット４０の出力調整として、図８に示したように、光源４２の光量調整、並びに白レベルデータ及び黒レベルデータの取得が行われ、さらに外光検出及び画像読取りが行われる動作も第１の実施の形態と同様である。
【０１０２】
したがって、原稿載置台４に外光が入射しているか否かを検出する動作について詳細に説明する。図１３に示すように、制御部５５は、ＣＩＳユニット４０が基準部材５３の左端の白色の領域５３Ａに対応する位置となるように、キャリッジ４１を移動する（Ｓ３１）。そして、ＥＥＰＲＯＭ５９に格納された光量設定値によりＣＩＳユニット４０の光源４２を点灯して上記基準部材５３の左端の領域５３Ａを読み取る（Ｓ３２）。
【０１０３】
光量設定値は、原稿抑えカバー６が閉じられて外光入射がない場合に得られるであろう光量調整値であるから、原稿載置台４に外光Ｌの入射がない場合には、基準部材５３の領域５３Ａに対して光量設定値で光源４２から光を照射すれば、光源４２や受光素子４４の安定性等から若干のばらつきがあるとしても、ＣＩＳユニット４０の読取値として、図９（ａ）に示すように所望の出力Ｓが得られる。
【０１０４】
これに対し、原稿載置台４に外光Ｌが入射している場合には、基準部材５３の領域Ａに対して光量設定値で光源４２から光を照射すれば、ＣＩＳユニット４０の読取値は、光源４２からの光の反射光に、外光Ｌの入射及び外光Ｌの反射光が加わったものとなる。すなわち、光源４２からの光の反射光に加えて、原稿載置台４に入射した外光ＬがＣＩＳユニット４０の内部に入射して読み取られ、さらに外光Ｌが領域５３Ａに反射して、その反射光がＣＩＳユニット４０にそれぞれ読み取られる。したがって、例えば、図９（ｃ）に示すように、基準部材５３の領域５３Ａに対して本来得られる所望の出力Ｓに外光Ｌに相当する出力が加わって、出力Ｓより大きな出力Ｓ２が読取値として得られる。
【０１０５】
制御部５５は、光量設定値で光源４２から光を照射してＣＩＳユニット４０で読み取った読取値が、予め定められた所定範囲外であるか否かを判断する（Ｓ３３）。この所定範囲は、例えば出力Ｓに所定の係数を乗じて得た値としてＥＥＰＲＯＭ５９に入力設定すればよい。また、外光入射なしの場合に得られた光量調整値をＥＥＰＲＯＭ５９に格納し、該光量調整値に所定の係数を乗じて得ることとしてもよい。領域５３Ａの読取値が所定範囲内であれば、制御部５５は、外光Ｌの入射なしと判断する（Ｓ３４）。一方、領域５３Ａの読取値が所定範囲外であれば、制御部５５は、外光Ｌの入射ありと判断する（Ｓ３５）。
【０１０６】
このように外光Ｌの有無を検出した後、図８に示したように、制御部５５は、外光なしと判断した場合には（Ｓ７）、基準部材５３に対して得られた光量調整値で光源４２から光を照射しながらキャリッジ４１をプラテンガラス２０に沿って移動させ、原稿Ｇからの反射光を受光素子４４で電気信号に変換して画像読取りを行う（Ｓ８）。一方、制御部５５は、外光ありと判断した場合には（Ｓ７）、ＥＥＰＲＯＭ５９に格納された光量設定値で光源４２から光を照射しながらキャリッジ４１をプラテンガラス２０に沿って移動させ、原稿Ｇからの反射光を受光素子４４で電気信号に変換して画像読取りを行う（Ｓ９）。そして、シェーディング補正を行って（Ｓ１０）、画像データをＲＡＭ５８に格納する（Ｓ１１）。
【０１０７】
このように、本複合機１のスキャナ部２によれば、ＣＩＳユニット４０の光源４２を点灯して基準部材５３の領域５３Ａを読み取り、制御部５５が、その読取値から原稿載置台４に外光Ｌが入射しているか否かを判断するので、外光検出のためのセンサを別途設ける必要なく、外光Ｌの有無を検出することができ、装置の小型化及び低コスト化を図ることができる。
【０１０８】
なお、本実施の形態では、ＣＩＳユニット４０の光源４２の光量調整と別途に、外光検出のために基準部材５３の領域５３ＡをＣＩＳユニット４０で読み取ることとしたが、光量調整の際の領域５３Ａの読取値を用いて外光Ｌの入射を判断することとしてもよい。詳細に説明するに、図８に示した光量調整（Ｓ１）の際に、原稿載置台４に外光Ｌが入射していなければ、図９（ａ）に示したように、ＣＩＳユニット４０の読取値が出力Ｓとなるような光源４２の光量調整値が得られる。
【０１０９】
これに対し、原稿載置台４に外光Ｌが入射していれば、図９（ｂ）に示しように、その外光Ｌの光量だけＣＩＳユニット４０の光源４２の光量は少なくても一定の出力が得られるので光量調整値は小さくなる。したがって、制御部５５は、得られた光量調整値が所定範囲内か否かを判断する。この所定範囲は、ＥＥＰＲＯＭ５９に格納された光量設定値に基づいて定められる。具体的には、複合機１の出荷時にＥＥＰＲＯＭ５９に入力された光量設定値に例えば０．８等の所定の係数を乗じて定める。そして、制御部５５は、光量調整値が所定範囲内であれば外光入射なしと判断し、光量調整値が所定範囲外であれば外光入射ありと判断する。
【０１１０】
このような動作によっても、制御部５５は、ＣＩＳユニット４０の光源４２を点灯して基準部材５３の領域５３Ａを読み取った読取値から、原稿載置台４に外光Ｌが入射しているか否かを判断することができる。
【０１１１】
なお、本実施の形態においても、密着型イメージセンサであるＣＩＳユニット４０に変えて、例えば縮小光学系のＣＣＤイメージセンサを用いることもできることは言うまでもない。また、ＣＣＤイメージセンサを用いた場合に、その出力が、例えば図９に示したＣＩＳユニット４０の出力と反対に、反射光強度が電気信号として負側に出力される場合には、原稿載置台４に外光Ｌが入射すれば、その外光分だけ負側に出力されることとなるので、この負側の出力に応じて制御部５５による外光検出の判断基準となる所定範囲を定めればよい。
【０１１２】
また、本実施の形態においても、本発明による外光検出の利用方法が本実施の形態に示した態様に限定されないことや、本発明により外光検出を行うタイミングが本実施の形態に示した態様に限定されないこと、ＡＤＦ５の給紙トレイ２２及び排紙トレイ２３の配置を変更して、区画部材５１に形成されたガイド面５２が原稿Ｇを案内する方向を変更できることは言うまでもない。
【０１１３】
〔第３の実施の形態〕
以下、本発明の第３の実施の形態について説明する。
上記第１の実施の形態では、図１０に示したように、ＣＩＳユニット４０の光源４２を消灯して基準部材５３の領域５３Ａ及び領域５３Ｂを読み取り、その読取値の差から外光入射の有無を判断することとしたが、本実施の形態では、ＣＩＳユニット４０の光源４２を消灯して基準部材５３の領域５３Ａを読み取り、その読取値から外光入射の有無を判断する。なお、本実施の形態において、複合機１の構成は上記第１の実施の形態と同様であるので詳細な説明は省略する。
【０１１４】
以下、スキャナ部２の動作について説明するが、本実施の形態においても、スキャナ部２をＦＢＳとして使用する場合、及びＡＤＦ５を使用する場合のスキャナ部２の使用方法は上記第１の実施の形態と同様である。また、スキャナ部２による画像読取りにおいて、ＣＩＳユニット４０が原稿Ｇの画像読取りを開始する前に、ＣＩＳユニット４０の出力調整として、図８に示したように、光源４２の光量調整、並びに白レベルデータ及び黒レベルデータの取得が行われ、さらに外光検出及び画像読取りが行われる動作も第１の実施の形態と同様である。
【０１１５】
したがって、原稿載置台４に外光が入射しているか否かを検出する動作について詳細に説明する。図１４に示すように、制御部５５は、ＣＩＳユニット４０を基準部材５３の左端の白色の領域５３Ａに対応する位置となるように、キャリッジ４１を移動する（Ｓ４１）。そして、ＣＩＳユニット４０の光源４２を消灯して上記基準部材５３の左端の領域５３Ａを読み取る（Ｓ４２）。
【０１１６】
原稿押さえカバー６が原稿載置台４に対して閉じられ、原稿載置台４の内部に外光Ｌが入射していなければ、ＣＩＳユニット４０が光源４２を消灯して基準部材５３の領域５３Ａを読み取れば、領域５３Ａからの反射光がなく、図１１（ａ）に示すように、ＣＩＳユニット４０の読取値は黒レベルデータと同程度の出力Ｎとなる。
【０１１７】
一方、原稿押さえカバー６が原稿載置台４に対して開かれて、原稿載置台４の内部に外光Ｌが入射していれば、外光ＬがＣＩＳユニット４０の内部に入射して読み取られ、さらに外光Ｌが領域５３Ａに反射して、その反射光がＣＩＳユニット４０に読み取られるので、図１１（ｂ）に示すように、これらに相当する出力Ｎ１が得られる。
【０１１８】
制御部５５は、光源４２を消灯してＣＩＳユニット４０で読み取った読取値が、予め定められた所定範囲外であるか否かを判断する（Ｓ４３）。この所定範囲は、例えばＣＩＳユニット４０が出力する黒レベル基準信号に所定の係数を乗じて得た値としてＥＥＰＲＯＭ５９に入力設定すればよい。領域５３Ａの読取値が所定範囲内であれば、制御部５５は、外光Ｌの入射なしと判断する（Ｓ４４）。一方、領域５３Ａの読取値が所定範囲外であれば、制御部５５は、外光Ｌの入射ありと判断する（Ｓ４５）。
【０１１９】
このように外光Ｌの有無を検出した後、図８に示したように、制御部５５は、外光なしと判断した場合には（Ｓ７）、基準部材５３に対して得られた光量調整値で光源４２から光を照射しながらキャリッジ４１をプラテンガラス２０に沿って移動させ、原稿Ｇからの反射光を受光素子４４で電気信号に変換して画像読取りを行う（Ｓ８）。一方、制御部５５は、外光ありと判断した場合には（Ｓ７）、ＥＥＰＲＯＭ５９に格納された光量設定値で光源４２から光を照射しながらキャリッジ４１をプラテンガラス２０に沿って移動させ、原稿Ｇからの反射光を受光素子４４で電気信号に変換して画像読取りを行う（Ｓ９）。そして、シェーディング補正を行って（Ｓ１０）、画像データをＲＡＭ５８に格納する（Ｓ１１）。
【０１２０】
このように、本複合機１のスキャナ部２によれば、ＣＩＳユニット４０の光源４２を消灯して基準部材５３の領域５３Ａを読み取り、制御部５５が、その読取値から原稿載置台４に外光Ｌが入射しているか否かを判断するので、外光検出のためのセンサを別途設ける必要なく、外光Ｌの有無を検出することができ、装置の小型化及び低コスト化を図ることができる。
【０１２１】
なお、本実施の形態では、ＣＩＳユニット４０の光源４２の光量調整と別途に、外光検出のために基準部材５３の領域５３ＡをＣＩＳユニット４０で読み取ることとしたが、光量調整の際に併せて、領域５３Ａ対して光源４２を消灯して読み取るようにしてもよい。
【０１２２】
また、本実施の形態においても、密着型イメージセンサであるＣＩＳユニット４０に変えて、例えば縮小光学系のＣＣＤイメージセンサを用いることもできることや、本発明による外光検出の利用方法が本実施の形態に示した態様に限定されないこと、本発明により外光検出を行うタイミングが本実施の形態に示した態様に限定されないこと、ＡＤＦ５の給紙トレイ２２及び排紙トレイ２３の配置を変更して、区画部材５１に形成されたガイド面５２が原稿Ｇを案内する方向を変更できることは言うまでもない。
【０１２３】
〔第４の実施の形態〕
以下、本発明の第４の実施の形態について説明する。
上記第１の実施の形態では、図１０に示したように、ＣＩＳユニット４０の光源４２を消灯して基準部材５３の領域５３Ａ及び領域５３Ｂを読み取り、その読取値の差から外光入射の有無を判断することとしたが、本実施の形態では、ＣＩＳユニット４０の光源４２を点灯して基準部材５３の領域５３Ａを読み取り、その読取値が出力範囲の最大値以上を示す読取値を出力した画素数をカウントし、そのカウント数から外光入射の有無を判断する。なお、本実施の形態において、複合機１の構成は上記第１の実施の形態と同様であるので詳細な説明は省略する。
【０１２４】
以下、スキャナ部２の動作について説明するが、本実施の形態においても、スキャナ部２をＦＢＳとして使用する場合、及びＡＤＦ５を使用する場合のスキャナ部２の使用方法は上記第１の実施の形態と同様である。また、スキャナ部２による画像読取りにおいて、ＣＩＳユニット４０が原稿Ｇの画像読取りを開始する前に、ＣＩＳユニット４０の出力調整として、光源４２の光量調整、並びに白レベルデータ及び黒レベルデータの取得が行われ、さらに外光検出及び画像読取りが行われる動作も第１の実施の形態と同様である。
【０１２５】
したがって、原稿載置台４に外光が入射しているか否かを検出する動作について詳細に説明する。図１５に示すように、制御部５５は、ＣＩＳユニット４０を基準部材５３の左端の白色の領域５３Ａに対応する位置となるように、キャリッジ４１を移動する（Ｓ５１）。そして、ＥＥＰＲＯＭ５９に格納された光量設定値によりＣＩＳユニット４０の光源４２を点灯して上記基準部材５３の左端の領域５３Ａを読み取る（Ｓ５２）。
【０１２６】
本実施の形態において、光量設定値は、原稿抑えカバー６が閉じられて外光入射がない場合に得られるであろう光量調整値と同等であり、基準部材５３の領域５３Ａを読み取った際にＣＩＳユニット４０の出力が、出力範囲の最大値付近となるように設定されている。したがって、原稿載置台４に外光Ｌの入射がない場合には、基準部材５３の領域５３Ａに対して光量設定値で光源４２から光を照射すれば、光源４２や受光素子４４の安定性等から若干のばらつきがあるとしても、ＣＩＳユニット４０の読取値として、図９（ａ）に示すように所望の出力Ｓが得られる。ここでは、出力ＳがＣＩＳユニット４０の出力範囲の最大値とする。
【０１２７】
これに対し、原稿載置台４に外光Ｌが入射している場合には、基準部材５３の領域Ａに対して光量設定値で光源４２から光を照射すれば、ＣＩＳユニット４０の読取値は、光源４２からの光の反射光に、外光Ｌの入射及び外光Ｌの反射光が加わったものとなる。すなわち、光源４２からの光の反射光に加えて、原稿載置台４に入射した外光ＬがＣＩＳユニット４０の内部に入射して読み取られ、さらに外光Ｌが領域５３Ａに反射して、その反射光がＣＩＳユニット４０にそれぞれ読み取られる。したがって、例えば、図９（ｃ）に示すように、基準部材５３の領域５３Ａに対して本来得られる所望の出力Ｓに外光Ｌに相当する出力が加わって、出力Ｓより大きな出力Ｓ２が得られるはずである。
【０１２８】
しかしながら、ＣＩＳユニット４０の出力はＡＳＩＣ６１によりＡ／Ｄ変換され、このＡ／Ｄ変換される最大値が出力Ｓであるので、ＣＩＳユニット４０の出力をＡ／Ｄ変換するＡＳＩＣ６１からは、上記出力Ｓ２のような出力Ｓ以上の出力に対して、例えば「ＦＦ」（８ビット時）のように最大値以上であることを示す信号が出力される。制御部５５は、該信号「ＦＦ」を出力した画素数をカウントする（Ｓ５３）。そして、制御部５５は、このカウント数が、予め定められた所定の閾値以上であるか否かを判断する（Ｓ５４）。この閾値は、予めＥＥＰＲＯＭ５９に入力設定すればよい。上記カウント数が所定の閾値未満であれば、制御部５５は、外光Ｌの入射なしと判断する（Ｓ５５）。一方、上記カウント数が所定の閾値以上であれば、制御部５５は、外光Ｌの入射ありと判断する（Ｓ５６）。
【０１２９】
このように外光Ｌの有無を検出した後、図８に示したように、制御部５５は、外光なしと判断した場合には（Ｓ７）、基準部材５３に対して得られた光量調整値で光源４２から光を照射しながらキャリッジ４１をプラテンガラス２０に沿って移動させ、原稿Ｇからの反射光を受光素子４４で電気信号に変換して画像読取りを行う（Ｓ８）。一方、制御部５５は、外光ありと判断した場合には（Ｓ７）、ＥＥＰＲＯＭ５９に格納された光量設定値で光源４２から光を照射しながらキャリッジ４１をプラテンガラス２０に沿って移動させ、原稿Ｇからの反射光を受光素子４４で電気信号に変換して画像読取りを行う（Ｓ９）。そして、シェーディング補正を行って（Ｓ１０）、画像データをＲＡＭ５８に格納する（Ｓ１１）。
【０１３０】
このように、本複合機１のスキャナ部２によれば、ＣＩＳユニット４０の光源４２を点灯して基準部材５３の領域５３Ａを読み取り、制御部５５が、その読取値が最大値以上を示す画素数をカウントして、原稿載置台４に外光Ｌが入射しているか否かを判断するので、外光検出のためのセンサを別途設ける必要なく、外光Ｌの有無を検出することができ、装置の小型化及び低コスト化を図ることができる。
【０１３１】
なお、本実施の形態では、ＣＩＳユニット４０の光源４２の光量を所定の光量設定値とすることにより、ＣＩＳユニット４０の出力が最大値付近となるように調整されるものとしたが、ＣＩＳユニット４０の出力を出力範囲の最大値付近とする制御は本実施の形態に示したものに限定されず、例えば、基準部材５３の領域５３Ａに対して所定の光量で光源４２から光を照射してえら得たＣＩＳユニット４０の出力を、ゲイン調整等により増幅して出力範囲の最大値付近とするように制御するものであってもよい。
【０１３２】
なお、本実施の形態においても、密着型イメージセンサであるＣＩＳユニット４０に変えて、例えば縮小光学系のＣＣＤイメージセンサを用いることもできる。この場合に、ＣＣＤイメージセンサからの出力が負側になる場合には、負側に最大となる出力にＣＣＤイメージセンサの出力が調整される。また、本発明による外光検出の利用方法が本実施の形態に示した態様に限定されないこと、本発明により外光検出を行うタイミングが本実施の形態に示した態様に限定されないこと、ＡＤＦ５の給紙トレイ２２及び排紙トレイ２３の配置を変更して、区画部材５１に形成されたガイド面５２が原稿Ｇを案内する方向を変更できることは言うまでもない。
【図面の簡単な説明】
【０１３３】
【図１】図１は、本発明の第１の実施の形態に係る複合機１の外観構成を示す斜視図である。
【図２】図２は、ＡＤＦ５の主要構成を示すＡ−Ａ断面図である。
【図３】図３は、原稿載置台４の構成を示す平面図である。
【図４】図４は、キャリッジ４１の構成を示す原稿載置台４の縦断面図である。
【図５】図５は、基準部材５３付近の構成を示す拡大断面図である。
【図６】図６は、基準部材５３の構成を示す平面図である。
【図７】図７は、複合機１の制御部５５の構成を示すブロック図である。
【図８】図８は、ＣＩＳユニット４０の出力調整を示すフローチャートである。
【図９】図９（ａ）は、光量調整におけるＣＩＳユニット４０の出力を示すグラフであり、図９（ｂ）は、外光Ｌの入射がある場合の光量調整におけるＣＩＳユニット４０の出力を示すグラフであり、図９（ｃ）は、外光Ｌの入射がある場合に光量設定値で光源４２を照射した場合のＣＩＳユニット４０の出力を示すグラフである。
【図１０】図１０は、第１の実施の形態における外光検出を示すフローチャートである。
【図１１】図１１（ａ）は、外光Ｌの入射がない場合の領域５３Ａ及び領域５３Ｂに対するＣＩＳユニット４０の出力を示すグラフであり、図１１（ｂ）は、外光Ｌの入射がある場合の領域５３Ａ及び領域５３Ｂに対するＣＩＳユニット４０の出力を示すグラフである。
【図１２】図１２は、原稿押さえカバー６が開いた状態の基準部材５３付近の構成を示す拡大断面図である。
【図１３】図１３は、第２の実施の形態における外光検出を示すフローチャートである。
【図１４】図１４は、第３の実施の形態における外光検出を示すフローチャートである。
【図１５】図１５は、第４の実施の形態における外光検出を示すフローチャートである。
【図１６】図１６は、従来の画像読取装置９０の概略構成を示す斜視図である。
【符号の説明】
【０１３４】
１・・・複合機（画像読取装置）
４・・・原稿載置台
５・・・ＡＤＦ（自動原稿搬送機構）
６・・・原稿押さえ部材
２０・・・プラテンガラス（透過部材）
２０Ｌ・・・搬送原稿読取領域
２０Ｒ・・・静止原稿読取領域
２２・・・給紙トレイ
２３・・・排紙トレイ
４０・・・ＣＩＳユニット（画像読取手段、密着型イメージセンサ）
４１・・・キャリッジ（走査手段）
４２・・・光源
５１・・・区画部材
５２・・・ガイド面
５３・・・基準部材
５５・・・制御部（制御手段、外光検出手段）
Ｇ・・・原稿
【図１】
2006311219.tif 000003
【図２】
2006311219.tif 000004
【図３】
2006311219.tif 000005
【図４】
2006311219.tif 000006
【図５】
2006311219.tif 000007
【図６】
2006311219.tif 000008
【図７】
2006311219.tif 000009
【図８】
2006311219.tif 000010
【図９】
2006311219.tif 000011
【図１０】
2006311219.tif 000012
【図１１】
2006311219.tif 000013
【図１２】
2006311219.tif 000014
【図１３】
2006311219.tif 000015
【図１４】
2006311219.tif 000016
【図１５】
2006311219.tif 000017
【図１６】
2006311219.tif 000018